(57)【要約】【課題】外部記憶装置へのログ情報の出力を可能としながらも、ログ情報が不特定多数の者に漏洩するおそれがないログ情報管理プログラム、電子機器、および画像形成装置を提供する。【解決手段】ログ情報管理プログラムは、識別子管理部１０１およびログ情報管理部１０２として電子機器に内蔵されるコンピューターを機能させる。識別子管理部１０１は、認証を経て入力される指示に基づき、識別子を識別子記憶部９２２に記憶または削除させる。ログ情報管理部１０２は、ＵＳＢメモリー２が接続された場合に、ＵＳＢメモリー２に記憶されている識別子と、識別子記憶部９２２に記憶されている識別子とが一致するか否かを判定する。ログ情報管理部１０２は、識別子が一致する場合には、ログ情報記憶部９２１に記憶されているログ情報をＵＳＢメモリー２に出力することをログ情報出力部１０３に許可する。【選択図】図２
2015106206.tif 000002
【特許請求の範囲】
【請求項１】
認証を経て入力される指示に基づき、識別子を電子機器の記憶部に記憶させる、または、前記記憶部に記憶された前記識別子を削除させる識別子管理部と、
前記電子機器に外部記憶装置が接続された場合に、当該接続された外部記憶装置に記憶されている識別子と前記記憶部に記憶されている識別子とが一致するか否かを判定し、一致する場合には、前記記憶部に記憶されているログ情報を前記外部記憶装置に出力することを前記電子機器に許可し、一致しない場合には、前記記憶部に記憶されているログ情報を前記外部記憶装置に出力することを前記電子機器に許可しないログ情報管理部として、前記電子機器に内蔵されるコンピューターを機能させるログ情報管理プログラム。
【請求項２】
前記識別子管理部は、更に、認証を経て入力される指示に基づき、前記外部記憶装置に出力する前記ログ情報の範囲を前記識別子毎に決定し、当該決定した前記ログ情報の範囲を前記識別子に対応づけて前記記憶部に記憶させ、
前記ログ情報管理部は、前記電子機器に外部記憶装置が接続された場合に、当該接続された外部記憶装置に記憶されている識別子と前記記憶部に記憶されている識別子とが一致するか否かを判定し、一致する場合には、当該一致する識別子に対応づけられて前記記憶部に記憶された前記ログ情報の範囲に示されるログ情報を、前記外部記憶装置に出力することを前記電子機器に許可する請求項１に記載のログ情報管理プログラム。
【請求項３】
外部記憶装置と接続可能な接続部と、
前記外部記憶装置の識別子を記憶する識別子記憶部と、
認証を経て入力される指示に基づき、前記識別子記憶部に記憶される前記識別子の追加または削除を行う識別子管理部と、
ログ情報を記憶するログ情報記憶部と、
前記接続部に前記外部記憶装置が接続された場合に、当該接続された外部記憶装置に記憶されている識別子と前記記憶部に記憶されている識別子とが一致するか否かを判定し、一致する場合には、前記ログ情報記憶部に記憶されている前記ログ情報を前記外部記憶装置に出力することを許可し、一致しない場合には、前記ログ情報記憶部に記憶されている前記ログ情報を前記外部記憶装置に出力することを許可しないログ情報管理部と、
前記ログ情報管理部により許可された場合には、前記ログ情報記憶部に記憶されている前記ログ情報を、前記接続部に接続された前記外部記憶装置に出力するログ情報出力部とを備える、電子機器。
【請求項４】
請求項３に記載の電子機器を備える画像形成装置。
【発明の詳細な説明】
【技術分野】
【０００１】
本発明は、ログ情報管理プログラム、電子機器、および画像形成装置に関し、特に、画像形成装置等の電子機器のログ情報を管理する技術に関する。
【背景技術】
【０００２】
画像形成装置等の電子機器で不具合が発生した場合、その原因を調査するために、電子機器のログ情報を解析する場合がある。この場合、インターネット等のネットワークを用いて電子機器のログ情報を取得することが一般的であるが、電子機器がネットワークに接続されていない場合には、ログ情報を取得することができない。この問題に対して、特許文献１には、電子機器のログ情報をＵＳＢメモリー等の外部記憶装置に出力する技術が開示されている。この技術によれば、ネットワーク接続されていない電子機器であっても、ログ情報を容易に取得することができる。
【先行技術文献】
【特許文献】
【０００３】
【特許文献１】特開２００６−９４１７４号公報
【発明の概要】
【発明が解決しようとする課題】
【０００４】
しかしながら、上記の特許文献１に開示される技術では、電子機器にＵＳＢメモリー等の外部記憶装置を接続すれば、誰にでも電子機器のログ情報を取得することが可能である。このため、電子機器の管理者やサービスマン等以外の者に電子機器のログ情報が漏洩するおそれがあった。
【０００５】
本発明は、上記の事情に鑑みなされたものであり、外部記憶装置へのログ情報の出力を可能としながらも、ログ情報が不特定多数の者に漏洩するおそれがないログ情報管理プログラム、電子機器、および画像形成装置を提供することを目的とする。
【課題を解決するための手段】
【０００６】
本発明の一態様にかかるログ情報管理プログラムは、認証を経て入力される指示に基づき、識別子を電子機器の記憶部に記憶させる、または、前記記憶部に記憶された前記識別子を削除させる識別子管理部と、前記電子機器に外部記憶装置が接続された場合に、当該接続された外部記憶装置に記憶されている識別子と前記記憶部に記憶されている識別子とが一致するか否かを判定し、一致する場合には、前記記憶部に記憶されているログ情報を前記外部記憶装置に出力することを前記電子機器に許可し、一致しない場合には、前記記憶部に記憶されているログ情報を前記外部記憶装置に出力することを前記電子機器に許可しないログ情報管理部として、前記電子機器に内蔵されるコンピューターを機能させるログ情報管理プログラムである。
【０００７】
また、本発明の別の一態様にかかる電子機器は、外部記憶装置と接続可能な接続部と、前記外部記憶装置の識別子を記憶する識別子記憶部と、認証を経て入力される指示に基づき、前記識別子記憶部に記憶される前記識別子の追加または削除を行う識別子管理部と、ログ情報を記憶するログ情報記憶部と、前記接続部に前記外部記憶装置が接続された場合に、当該接続された外部記憶装置に記憶されている識別子と前記記憶部に記憶されている識別子とが一致するか否かを判定し、一致する場合には、前記ログ情報記憶部に記憶されている前記ログ情報を前記外部記憶装置に出力することを許可し、一致しない場合には、前記ログ情報記憶部に記憶されている前記ログ情報を前記外部記憶装置に出力することを許可しないログ情報管理部と、前記ログ情報管理部により許可された場合には、前記ログ情報記憶部に記憶されている前記ログ情報を、前記接続部に接続された前記外部記憶装置に出力するログ情報出力部とを備える、電子機器である。
【０００８】
また、本発明の別の一態様にかかる画像形成装置は、上記の電子機器を備える画像形成装置である。
【発明の効果】
【０００９】
本発明によれば、外部記憶装置へのログ情報の出力を可能としながらも、ログ情報が不特定多数の者に漏洩するおそれがない。
【図面の簡単な説明】
【００１０】
【図１】本発明の一実施形態にかかるログ情報管理プログラムを実行する電子機器の一例としての画像形成装置の外観を示す斜視図である。
【図２】本発明の一実施形態にかかる画像形成装置の主要内部構成を示す機能ブロック図である。
【図３】（Ａ）〜（Ｃ）は、本発明の一実施形態にかかる画像形成装置の識別子管理部により識別子の追加処理または識別子の削除処理が実行される際に、表示部に表示されるメニュー画面の一例を示す図である。
【図４】本発明の一実施形態にかかる画像形成装置の識別子記憶部に記憶される内容を示す図である。
【図５】（Ａ）〜（Ｃ）は、本発明の一実施形態にかかる画像形成装置のログ情報管理部およびログ情報出力部によるログ情報出力処理が実行される際に、表示部に表示されるメニュー画面の一例を示す図である。
【図６】本発明の一実施形態にかかる画像形成装置による識別子の追加または削除処理の流れを示すフローチャートである。
【図７】本発明の一実施形態にかかる画像形成装置によるログ情報を出力する処理の流れを示すフローチャートである。
【図８】変形例にかかる画像形成装置の識別子記憶部に記憶される内容を示す図である。
【図９】変形例にかかる画像形成装置によるログ情報を出力する処理の流れを示すフローチャートである。
【発明を実施するための形態】
【００１１】
以下、本発明の一実施形態にかかるログ情報管理プログラム、電子機器、および画像形成装置について図面を参照して説明する。図１は、本発明の一実施形態にかかるログ情報管理プログラムを実行する電子機器の一例としての画像形成装置１の外観を示す斜視図である。
【００１２】
本発明の一実施形態にかかる画像形成装置１は、例えば、コピー機能、プリンター機能、スキャナー機能、及びファクシミリ機能等を備えた複合機である。画像形成装置１は、装置本体１１に、原稿給送部６、原稿読取部５、画像形成部１２、給紙部１４、および操作部４７等を備えて構成されている。
【００１３】
画像形成装置１が原稿読取動作を行う場合、原稿給送部６により搬送されてくる原稿、又はコンタクトガラスに載置された原稿の画像を原稿読取部５が光学的に読み取り、画像データを生成する。原稿読取部５により生成された画像データは、内蔵ＨＤＤ又はネットワーク接続されたコンピューター等に保存される。
【００１４】
画像形成装置１が画像形成動作を行う場合は、上記の原稿読取動作により生成された画像データ、ネットワーク接続されたコンピューターやスマートフォン等の外部機器から受信した画像データ、又は内蔵ＨＤＤに記憶されている画像データ等に基づいて、画像形成部１２が、給紙部１４から給紙される記録媒体としての記録紙にトナー像を形成する。
【００１５】
上記の原稿読取動作や画像形成動作等の画像形成装置１の各種動作および処理の内容は、後述する制御ユニット１０のログ情報管理部１０２（図２参照）によりログ情報として採取される。当該採取されたログ情報は、後述するログ情報記憶部９２１（図２参照）に記憶される。
【００１６】
操作部４７は、操作キー部４７１および表示部４７３等を備え、画像形成装置１が実行可能な各種動作および処理について、ユーザーから画像形成送動作実行指示や原稿読取動作実行指示等の指示を受け付ける。表示部４７３は、液晶ディスプレイや有機ＥＬディスプレイを含んで構成され、上記の指示を受け付けるためのメニュー画面等が表示される。
【００１７】
操作キー部４７１は、例えば、メニュー画面を呼び出すメニューキー、メニュー画面を構成するＧＵＩのフォーカスを移動させる矢印キー、メニュー画面を構成するＧＵＩに対して確定操作を行う決定キー、文字入力を行うための文字入力キー、数値入力を行うための数値入力キー等の複数のキーを備え、表示部４７３に表示されるメニュー画面に対する操作をユーザーから受け付ける。
【００１８】
また、画像形成装置１には、外部記憶装置としてのＵＳＢメモリー２（図２参照）が接続可能なＵＳＢ差込口を有するＵＳＢインターフェイス部９４が設けられている。ＵＳＢインターフェイス部９４は、接続されたＵＳＢメモリー２との通信時に、通信に必要な処理を行う。
【００１９】
次に、画像形成装置１の内部構成を説明する。図２は、画像形成装置１の主要内部構成を示す機能ブロック図である。
【００２０】
画像形成装置１は、図１を用いて説明した原稿読取部５、原稿給送部６、画像形成部１２、給紙部１４、操作部４７、およびＵＳＢインターフェイス部９４等に加えて、画像処理部３１、画像メモリー３２、ネットワークインターフェイス部９３、制御ユニット１０、ログ情報記憶部９２１、および識別子記憶部９２２等を備えている。
【００２１】
画像処理部３１は、原稿読取部５で読み取られた原稿の画像データ、ネットワーク接続されたコンピューターやスマートフォン等の外部機器から受信した画像データ、又は内蔵ＨＤＤに記憶されている画像データ等に対して、シェーディング補正等の画像処理を行う機能を有する。
【００２２】
画像メモリー３２は、原稿読取部５による読取で得られた原稿の画像データを一時的に記憶したり、画像形成部１２のプリント対象となるデータを一時的に保存する領域である。
【００２３】
ネットワークインターフェイス部９３は、インターネットを介したウェブサーバーとの通信時やＬＡＮを介した外部機器との通信時等に、これらの通信に必要な処理を行う。
【００２４】
ログ情報記憶部９２１および識別子記憶部９２２は、ハードディスクドライブ（Hard disk drive）等の記憶装置である。詳細は後述するが、ログ情報記憶部９２１は画像形成装置１のログ情報を記憶し、識別子記憶部９２２はＵＳＢメモリー２の識別子を記憶する。なお、ログ情報記憶部９２１および識別子記憶部９２２は、１つの記憶装置により構成するようにしてもよいし、それぞれ異なる記憶装置により構成するようにしてもよい。
【００２５】
制御ユニット１０は、ＣＰＵ(Central Processing Unit)、ＲＡＭ、ＲＯＭ及び専用のハードウェア回路等から構成される。制御ユニット１０は、上記のＲＯＭ又は画像形成装置１に内蔵のＨＤＤに記憶されたログ情報管理プログラムが上記のＣＰＵに実行されることにより、制御部１００、識別子管理部１０１、及びログ情報管理部１０２として機能する。
【００２６】
制御部１００は、画像形成装置１の全体的な動作制御を司る。制御部１００は、原稿読取部５、原稿給送部６、画像形成部１２、給紙部１４、画像処理部３１、画像メモリー３２、操作部４７、ネットワークインターフェイス部９３、ＵＳＢインターフェイス部９４、ログ情報記憶部９２１、および識別子記憶部９２２等と接続されている。制御部１００は、接続されている上記各機構の動作制御や、各機構との間での信号又はデータの送受信を行う。
【００２７】
識別子管理部１０１は、メンテナンスモード等の一般のユーザーが操作できないモードにおいて、識別子を追加または削除させる機能を有する。具体的には、識別子管理部１０１は、認証を経て入力される指示に基づき、識別子を識別子記憶部９２２に記憶（追加）させる、または、識別子記憶部９２２に記憶された識別子を識別子記憶部９２２に削除させる。詳細は後述するが、識別子管理部１０１により追加または削除された識別子は、画像形成装置１にＵＳＢメモリー２が接続され、当該ＵＳＢメモリー２にログ情報を出力する旨の指示を後述するログ情報管理部１０２が受け付けた場合において、当該ログ情報を後述するログ情報出力部１０３が出力することを許可するか否かを判定する際に用いられる。
【００２８】
図３（Ａ）〜図３（Ｃ）は、識別子管理部１０１により識別子の追加処理または識別子の削除処理が実行される際に、表示部４７３に表示されるメニュー画面の一例を示す図である。
【００２９】
識別子管理部１０１は、識別子の追加または削除を行う旨の指示を受け付けた場合、所定の認証手段を用いてユーザー認証を行う。識別子が不特定多数の者に追加または削除されることを防ぐためである。識別子管理部１０１は、例えば、図３（Ａ）に示すメニュー画面Ｄ１を表示部４７３に表示させる。識別子管理部１０１は、操作部４７の操作キー部４７１により入力されたパスワードを受け付け、当該受け付けたパスワードが予め定められたパスワードと一致するか否かを判定する。パスワードが一致する場合には、識別子管理部１０１は、追加または削除する識別子を受け付ける。パスワードが一致しない場合には、識別子管理部１０１は、追加または削除する識別子を受け付けない。
【００３０】
なお、上記では、識別子を追加または削除する際の認証手段としてパスワードを用いる場合を説明したが、ユーザー毎に予め定められた識別番号やＩＣカードに記憶された識別情報を識別子を追加または削除する際の認証手段として用いてもよい。
【００３１】
識別子管理部１０１は、ユーザー認証に成功した場合、例えば、図３（Ｂ）に示すメニュー画面Ｄ２を表示部４７３に表示させ、識別子を追加する旨の指示または識別子を削除する旨の指示を受け付ける。識別子管理部１０１は、識別子を追加する旨の指示を受け付けた場合、例えば、図３（Ｃ）に示すメニュー画面Ｄ３を表示部４７３に表示させ、ＵＳＢメモリー２をＵＳＢインターフェイス部９４に接続することを管理者やサービスマン等のユーザーに求める。
【００３２】
ＵＳＢメモリー２がＵＳＢインターフェイス部９４に接続されると、識別子管理部１０１がＵＳＢメモリー２の接続を検出する。ＵＳＢメモリー２は、その書換え不可能な領域に、ＵＳＢメモリー２毎に固有なシリアル番号、ＵＳＢメモリー２のベンダーを示すベンダー番号、ＵＳＢメモリー２の製品種別を示すプロダクト番号等を記憶している。識別子管理部１０１は、ＵＳＢインターフェイス部９４に接続されたＵＳＢメモリー２に記憶されているシリアル番号を識別子として取得し、当該取得した識別子を識別子記憶部９２２に記憶させる。なお、上記では、識別子管理部１０１が、ＵＳＢインターフェイス部９４に接続されたＵＳＢメモリー２に記憶されているシリアル番号を識別子として取得する場合を示したが、例えば、識別子管理部１０１が、操作部４７の操作キー部４７１により入力された番号を識別子として取得してもよい。
【００３３】
図４は、識別子記憶部９２２に記憶される内容を示す図である。識別子記憶部９２２には、識別子管理部１０１により追加された識別子としてのシリアル番号が複数記憶されている。識別子管理部１０１は、識別子を削除する指示を受け付ける際に、これらの識別子の番号を表示部４７３に表示させる。そして、識別子管理部１０１は、管理者やサービスマン等のユーザーによる選択を受け付けた識別子を識別子記憶部９２２に削除させる。
【００３４】
なお、図４に示すように、識別子記憶部９２２には、識別子に加えて、その識別子に対応するベンダー番号および識別子が追加された日時が記憶されている。識別子管理部１０１は、識別子を追加する際に、識別子に加えて、上記のベンダー番号および追加日時を、識別子記憶部９２２に記憶させる。そして、識別子管理部１０１は、識別子を削除する指示を受け付ける際に、識別子の番号に加えて、ベンダー番号から特定されるベンダー名および追加日時を表示部４７３に表示させる。識別子の番号だけで管理者やサービスマン等のユーザーが削除すべき識別子を特定することは困難であるが、識別子の番号に加えてベンダー名および追加日時を表示することで、ユーザーが削除すべき識別子を特定し易くすることができる。
【００３５】
ログ情報管理部１０２は、原稿読取動作や画像形成動作等の画像形成装置１の各種動作および処理の内容をログ情報として採取し、当該採取したログ情報をログ情報記憶部９２１に記憶させる。ログ情報記憶部９２１に記憶されるログ情報は、画像形成装置１に不具合が生じた場合等に、その原因を解析するために用いられる。本発明の一実施形態にかかる画像形成装置１では、このログ情報は、所定の条件を満たされた場合に、ＵＳＢインターフェイス部９４に接続された外部記憶装置としてのＵＳＢメモリー２に出力される。サービスマンや管理者等のユーザーにより、ＵＳＢメモリー２に出力されたログ情報は、画像形成装置１の外部に設けられたＰＣ等にコピーされ、当該ＰＣ等により解析される。
【００３６】
また、ログ情報管理部１０２は、メンテナンスモード等の一般のユーザーが操作できないモードにおいて、後述するログ情報出力部１０３がログ情報記憶部９２１に記憶されているログ情報をＵＳＢメモリー２に出力することを許可するか否かを判定する機能を有する。具体的には、ログ情報管理部１０２は、ＵＳＢインターフェイス部９４にＵＳＢメモリー２が接続された場合に、接続されたＵＳＢメモリー２に記憶されている識別子としてのシリアル番号と識別子記憶部９２２に記憶されている識別子とが一致するか否かを判定する。そして、ログ情報管理部１０２は、識別子が一致する場合には、後述するログ情報出力部１０３がログ情報記憶部９２１に記憶されているログ情報をＵＳＢメモリー２に出力することを許可する。一方、識別子が一致しない場合には、ログ情報管理部１０２は、ログ情報出力部１０３がログ情報記憶部９２１に記憶されているログ情報をＵＳＢメモリー２に出力することを許可しない。
【００３７】
制御ユニット１０は、ログ情報出力プログラムが記憶されているＵＳＢメモリー２がＵＳＢインターフェイス部９４を介して画像形成装置１に接続された場合、ＵＳＢメモリー２に記憶されているログ情報出力プログラムが上記のＣＰＵにより実行されることで、上記の識別子管理部１０１およびログ情報管理部１０２に加えて、ログ情報出力部１０３として機能する。
【００３８】
管理者やサービスマン等のユーザーは、画像形成装置１に接続される外部記憶媒体としてのＵＳＢメモリー２に、ログ情報出力プログラムを記憶させておき、当該ＵＳＢメモリー２を画像形成装置１のＵＳＢインターフェイス部９４に接続すると、画像形成装置１の制御ユニット１０がＵＳＢメモリー２の接続を検出する。
【００３９】
制御ユニット１０は、そのＢＩＯＳ設定によりＵＳＢメモリー２からのＢＯＯＴでログ情報出力プログラムを起動する。ＵＳＢメモリー２に記憶されているログ情報出力プログラムは、制御ユニット１０からのＢＯＯＴを受けて、ＡＵＴＯＲＵＮにより機能実行を開始する。これにより、制御ユニット１０は、ログ情報出力部１０３として機能する。ログ情報出力部１０３は、ログ情報管理部１０２により許可されている場合に、ログ情報記憶部９２１に記憶されているログ情報をＵＳＢメモリー２に出力する。
【００４０】
図５（Ａ）〜図５（Ｃ）は、ログ情報管理部１０２およびログ情報出力部１０３によるログ情報出力処理が実行される際に、表示部４７３に表示されるメニュー画面の一例を示す図である。
【００４１】
ログ情報管理部１０２は、メンテナンスモード等の一般のユーザーが操作できないモードにおいて、ログ情報の出力を行う旨の指示を受け付けた場合、例えば、図５（Ａ）に示すメニュー画面Ｄ４を表示部４７３に表示させ、ログ情報を出力するＵＳＢメモリー２をＵＳＢインターフェイス部９４に接続することを管理者やサービスマン等のユーザーに求める。
【００４２】
ログ情報管理部１０２は、ＵＳＢインターフェイス部９４にＵＳＢメモリー２が接続されたことを検知した場合、接続されたＵＳＢメモリー２に記憶されている識別子としてのシリアル番号と識別子記憶部９２２に記憶されている識別子とが一致するか否かを判定し、識別子が一致する場合には、例えば、図５（Ｂ）に示すメニュー画面Ｄ５を表示部４７３に表示させる。その後、ログ情報出力部１０３により、ログ情報記憶部９２１に記憶されているログ情報がＵＳＢメモリー２に出力される。一方、識別子が一致しない場合には、ログ情報管理部１０２は、例えば、図５（Ｃ）に示すメニュー画面Ｄ６を表示部４７３に表示させ、ログ情報が出力されないことをユーザーに報知する。
【００４３】
次に、上記の構成を備える画像形成装置１の動作について説明する。図６は、識別子の追加または削除処理の流れを示すフローチャートである。
【００４４】
画像形成装置１の識別子管理部１０１は、まず、ユーザー認証を行う（ステップＳ１０、Ｓ１１）。具体的には、識別子管理部１０１は、図３（Ａ）に示すようなメニュー画面Ｄ１（パスワード入力画面）を表示部４７３に表示させる（ステップＳ１０）。
【００４５】
そして、識別子管理部１０１は、操作部４７の操作キー部４７１により入力されたパスワードを受け付け、当該受け付けたパスワードが予め定められたパスワードと一致するか否かを判定する（ステップＳ１１）。
【００４６】
パスワードが一致しない場合（ステップＳ１１においてＮＯ）、処理を終了する。パスワードが一致する場合（ステップＳ１１においてＹＥＳ）、識別子管理部１０１は、識別子の追加または削除を行う（ステップＳ１２〜Ｓ１５）。具体的には、識別子管理部１０１は、図３（Ｂ）に示すようなメニュー画面Ｄ２（識別子の追加／削除画面）を表示部４７３に表示させ、ユーザーに識別子の追加を行うか、または識別子の削除を行うかを求める（ステップＳ１２）。
【００４７】
識別子の追加を行う旨の指示を受け付けた場合（ステップＳ１２において「追加」）、識別子管理部１０１は、図３（Ｃ）に示すようなメニュー画面Ｄ３を表示部４７３に表示させるとともに、ＵＳＢメモリー２がＵＳＢインターフェイス部９４に接続されたか否かを判定する（ステップＳ１３）。
【００４８】
ＵＳＢメモリー２の接続が検出されない場合（ステップＳ１３においてＮＯ）、識別子管理部１０１は、ＵＳＢメモリー２の接続が検出されるまで待機する。そして、ＵＳＢメモリー２の接続が検出された場合（ステップＳ１３においてＹＥＳ）、識別子管理部１０１は、ＵＳＢインターフェイス部９４に接続されたＵＳＢメモリー２に記憶されているシリアル番号を識別子として取得し、当該取得した識別子を識別子記憶部９２２に記憶させる（ステップＳ１４）。
【００４９】
識別子の削除を行う旨の指示を受け付けた場合（ステップＳ１２において「削除」）、識別子管理部１０１は、操作部４７の操作キー部４７１による選択を受け付けた識別子を識別子記憶部９２２に削除させる（ステップＳ１５）。
【００５０】
続いて、画像形成装置１においてログ情報を出力する処理について説明する。図７は、ログ情報を出力する処理の流れを示すフローチャートである。
【００５１】
画像形成装置１のログ情報管理部１０２は、ログ情報の出力を行う旨の指示を受け付けたか否かを判定する（ステップＳ２０）。
【００５２】
ログ情報の出力を行う旨の指示を受け付けた場合（ステップＳ２０においてＹＥＳ）、ログ情報管理部１０２は、ＵＳＢメモリー２がＵＳＢインターフェイス部９４に接続されたか否かを判定する（ステップＳ２１）。
【００５３】
ＵＳＢメモリー２の接続が検出されない場合（ステップＳ２１においてＮＯ）、ログ情報管理部１０２は、ＵＳＢメモリー２の接続が検出されるまで待機する。そして、ＵＳＢメモリー２の接続が検出された場合（ステップＳ２１においてＹＥＳ）、ＵＳＢメモリー２に記憶されているログ情報出力プログラムが制御ユニット１０のＣＰＵにより実行され、制御ユニット１０がログ情報出力部１０３として機能する（ステップＳ２２）。
【００５４】
ステップＳ２２の処理後、ログ情報管理部１０２は、接続されたＵＳＢメモリー２に記憶されている識別子としてのシリアル番号と識別子記憶部９２２に記憶されている識別子とが一致するか否かを判定する（ステップＳ２３）。
【００５５】
識別子が一致する場合（ステップＳ２３においてＹＥＳ）、ログ情報管理部１０２は、ログ情報出力部１０３がログ情報記憶部９２１に記憶されているログ情報をＵＳＢメモリー２に出力することを許可する（ステップＳ２４）。
【００５６】
ステップＳ２４の後、ログ情報出力部１０３は、ログ情報記憶部９２１に記憶されているログ情報をＵＳＢメモリー２に出力する（ステップＳ２５）。
【００５７】
一方、識別子が一致しない場合（ステップＳ２３においてＮＯ）、ログ情報管理部１０２は、ログ情報出力部１０３がログ情報記憶部９２１に記憶されているログ情報をＵＳＢメモリー２に出力することを許可しない（ステップＳ２６）。これにより、ログ情報出力部１０３は、ログ情報記憶部９２１に記憶されているログ情報をＵＳＢメモリー２に出力しない。
【００５８】
このように、本発明の一実施形態にかかる画像形成装置１は、識別子管理部１０１と、ログ情報管理部１０２とを備えている。識別子管理部１０１は、認証を経て入力される指示に基づき、識別子を識別子記憶部９２２に記憶させる、または、識別子記憶部９２２に記憶された識別子を削除させる。ログ情報管理部１０２は、画像形成装置１に外部記憶装置としてのＵＳＢメモリー２が接続された場合に、ＵＳＢメモリー２に記憶されている識別子と、識別子記憶部９２２に記憶されている識別子とが一致するか否かを判定する。そして、ログ情報管理部１０２は、識別子が一致する場合には、ログ情報記憶部９２１に記憶されているログ情報をＵＳＢメモリー２に出力することをログ情報出力部１０３に許可し、識別子が一致しない場合には、ログ情報をＵＳＢメモリー２に出力することをログ情報出力部１０３に許可しない。これにより、ＵＳＢメモリー２へのログ情報の出力を可能としながらも、ログ情報が不特定多数の者に漏洩することを防止することができる。
【００５９】
なお、本発明は上記の実施の形態の構成に限られず種々の変形が可能である。
【００６０】
図８は、変形例にかかる画像形成装置の識別子記憶部９２２に記憶される内容を示す図である。上記の実施の形態にかかる画像形成装置１では、図４に示すように、識別子記憶部９２２に、識別子、その識別子に対応するベンダー番号、およびシリアル番号が追加された日時が記憶されている場合を説明した。一方、変形例にかかる画像形成装置では、これらに加えて、出力することを許可するログ情報の範囲（許可範囲）が識別子毎に識別子記憶部９２２に記憶されている。変形例にかかる画像形成装置の識別子管理部１０１は、管理者やサービスマン等のユーザーから追加する識別子を受け付ける際に、識別子に加えて、その識別子を有するＵＳＢメモリーに出力することを許可するログ情報の範囲を受け付ける。図８に示す例では、出力することを許可するログ情報の範囲（許可範囲）が、１〜３の値で識別子記憶部９２２に記憶されている。１の値は、例えば、画像形成装置の全ての動作および処理内容に関するログ情報の出力を許可することを示し、２の値は、例えば、原稿読取動作に関するログ情報のみの出力を許可することを示す。
【００６１】
図９は、変形例にかかる画像形成装置によるログ情報を出力する処理の流れを示すフローチャートである。なお、図７に示すフローチャートで説明した処理と同様の処理については同符号を付して説明を略する。
【００６２】
図９に示すように、ステップＳ２４において、ログ情報記憶部９２１に記憶されているログ情報をＵＳＢメモリー２に出力することが許可された後、ログ情報管理部１０２は、識別子記憶部９２２に記憶されている許可範囲の値を取得し、ログ情報出力部１０３が出力するログ情報の範囲を決定する（ステップＳ３０）。
【００６３】
ログ情報出力部１０３は、ログ情報記憶部９２１に記憶されているログ情報のうち、ステップＳ３０において決定された範囲のログ情報を、ＵＳＢメモリー２に出力する（ステップＳ３１）。
【００６４】
例えば、セキュリティー処理に関するログ情報等は、原稿読取動作に関するログ情報等に比べて機密性がより高いことが好ましい。変形例にかかる画像形成装置によれば、外部記憶装置としてのＵＳＢメモリーに出力するログ情報の範囲をＵＳＢメモリー毎に異ならせることができる。このため、例えば、セキュリティー処理に関するログ情報等の出力先を一部のＵＳＢメモリーに限定することができるので、セキュリティー処理に関するログ情報等を他のログ情報等に比べて機密性を高くすることができる。
【００６５】
また、上記の実施の形態では、ログ情報を出力する外部記憶装置としてＵＳＢメモリーを用いる場合を説明した。しかしながら、本発明は、必ずしもこの場合に限定されない。外部記憶装置として、例えば、ＳＤカード（Secure Digital memory card）等の半導体メモリーカード、ＢＤ−ＲＯＭ等の光ディスク、ハードディスクドライブ（Hard Disk Drive）等を用いてもよい。
【００６６】
また、上記の実施の形態では、識別子管理部１０１が、識別子、その識別子に対応するベンダー番号、および識別子が追加された日時を識別子記憶部９２２に記憶させる場合を説明した。しかしながら、本発明は、必ずしもこの場合に限定されない。識別子管理部１０１は、少なくとも識別子を識別子記憶部９２２に記憶させればよい。例えば、識別子管理部１０１は、識別子に加えて、ＵＳＢメモリー２の製品種別を示すプロダクト番号を識別子記憶部９２２に記憶させてもよい。識別子管理部１０１は、識別子を削除する指示を受け付ける際に、識別子の番号に加えて、識別子記憶部９２２に記憶されているプロダクト番号を表示部４７３に表示させることで、管理者やサービスマン等のユーザーが削除すべき識別子をより特定し易くすることができる。
【００６７】
また、図１乃至図９を用いて上記実施形態により示した構成及び処理は、本発明の一実施形態に過ぎず、本発明を当該構成及び処理に限定する趣旨ではない。
【符号の説明】
【００６８】
１      画像形成装置
２      ＵＳＢメモリー
５      原稿読取部
６      原稿給送部
１０    制御ユニット
４７    操作部
９３    ネットワークインターフェイス部
９４    ＵＳＢインターフェイス部
１００  制御部
１０１  識別子管理部
１０２  ログ情報管理部
１０３  ログ情報出力部
４７１  操作キー部
４７３  表示部
９２１  ログ情報記憶部
９２２  識別子記憶部
【図１】
2015106206.tif 000003
【図２】
2015106206.tif 000004
【図３】
2015106206.tif 000005
【図４】
2015106206.tif 000006
【図５】
2015106206.tif 000007
【図６】
2015106206.tif 000008
【図７】
2015106206.tif 000009
【図８】
2015106206.tif 000010
【図９】
2015106206.tif 000011